(57)【要約】【課題】上蓋組立体を提供する。【解決手段】本発明は上蓋組立体及び調理器具を提供し、該上蓋組立体は、蓋体（１０）と蒸気弁（６０）を含み、蓋体（１０）には、蒸気弁装着面（１０１）が設けられ、蒸気弁（６０）は蒸気弁装着面（１０１）に取り付けられ、弁座（３０）と弁座（３０）に覆設された弁蓋（２０）を含み、弁蓋（２０）には、その周方向に沿って蒸気弁装着面（１０１）に支持された周回合わせ面（２０１）が設けられ、弁座（３０）の底部合わせ面（３０１）と蒸気弁装着面（１０１）との間に隙間があり、蒸気弁（６０）は蓋体（１０）の上面の少なくとも１／２を覆う。上蓋組立体において、弁座（３０）は浮く状態となるため、蒸気弁装着面（１０１）又は底部合わせ面（３０１）が熱を受けて変形することによる蒸気弁（６０）が突き上げられるという問題を避け、蒸気弁（６０）の寸法は、蓋体（１０）の寸法の半分を超えることで、従来蒸気弁キャビティの容積が小さいため、溢れ防止性能が悪い問題を解決し、同時に、溢れない前提で、ハイパワー加熱の上限を向上させ、炊飯の食感を改善することに役立つ。【選択図】図３
2019509144.tif 000002
【特許請求の範囲】
【請求項１】
上蓋組立体であって、
蒸気弁装着面が設けられる蓋体と、
前記蒸気弁装着面に取り付けられ、弁座と、前記弁座に覆設された弁蓋とを含む蒸気弁と、を含み、
前記弁蓋には、その周方向に沿って、周回合わせ面が設けられ、
前記周回合わせ面が前記蒸気弁装着面に支持され、
前記弁座の底部合わせ面と前記蒸気弁装着面との間に隙間があることを特徴とする上蓋組立体。
【請求項２】
前記弁蓋は、その周方向に沿って下向きに延びて前記周回合わせ面を形成し、且つ前記周回合わせ面は、前記弁座の底部合わせ面より下向きに突出することを特徴とする請求項１に記載の上蓋組立体。
【請求項３】
前記蒸気弁装着面には、前記周回合わせ面と対応して設けられると共に、上向きに突出する支持台が設けられ、前記周回合わせ面が前記支持台に支持されることを特徴のとする請求項１に記載の上蓋組立体。
【請求項４】
前記弁座の底部合わせ面と、前記蒸気弁装着面との間の隙間は１ｍｍ〜１０ｍｍであることを特徴とする請求項１に記載の上蓋組立体。
【請求項５】
上蓋組立体であって、調理器具に用いられ、
蒸気弁装着面が設けられる蓋体と、
前記蒸気弁装着面に取り付けられ、弁座と、前記弁座に覆設された弁蓋とを含む蒸気弁と、を含み、
前記蒸気弁装着面には、前記弁蓋と対応して設けられると共に、上向きに突出する支持台が設けられ、前記弁蓋が前記支持台に支持され、且つ前記支持台の少なくとも一部が、前記弁座の底部合わせ面の少なくとも一部より上向きに突出し又は前記支持台の最高点は前記弁座の底部合わせ面の最低点と揃い、前記弁座の底部合わせ面と、その下方にある前記蒸気弁装着面との間に隙間があることを特徴とする上蓋組立体。
【請求項６】
前記支持台は、周回のリング状支持台であり、
又は、前記蒸気弁装着面に、間隔を開けて分布する複数の前記支持台が設けられ、前記弁蓋が複数の前記支持台に支持されることを特徴とする請求項５に記載の上蓋組立体。
【請求項７】
前記弁座の底部合わせ面と、その下方にある前記蒸気弁装着面との間の隙間は１ｍｍ〜１０ｍｍであることを特徴とする請求項５に記載の上蓋組立体。
【請求項８】
前記弁座には、逆流穴が設けられ、前記逆流穴内には、リターン弁が設けられ、
前記弁座の底部合わせ面のエッジから前記逆流穴に接近する方向へ、前記弁座の底部合わせ面が、全体的に下向きに傾いていることを特徴とする請求項５に記載の上蓋組立体。
【請求項９】
前記蒸気弁には、第１吸引部材が設けられ、前記蓋体には、前記第１吸引部材と磁気吸引可能な第２吸引部材が対応して設けられることで、前記蒸気弁は、前記第１吸引部材と前記第２吸引部材との間の吸引力によって、前記蓋体に吸引されることを特徴とする請求項５乃至８のいずれか一項に記載の上蓋組立体。
【請求項１０】
前記蒸気弁装着面には、蒸気口が開口して設けられ、前記弁蓋と前記弁座との間で蒸気通路を限定し、前記蒸気通路の蒸気入口と前記蒸気口とは気密に連通することを特徴とする請求項１乃至９のいずれか一項に記載の上蓋組立体。
【請求項１１】
前記弁座の底部合わせ面には、下向きに突出する装着凸台が設けられ、前記装着凸台には、前記蒸気入口が開口して設けられ、
前記蒸気口内に密封シールが設けられ、前記装着凸台が前記密封シールに挿入されると共に、前記密封シールと嵌合固定され、
又は、前記装着凸台の外側に密封シールが設けられ、前記装着凸台と密封シールは、前記蒸気口に挿入されると共に、前記蒸気口と嵌合固定されることを特徴とする請求項１０に記載の上蓋組立体。
【請求項１２】
前記密封シールの側壁面に、内に突出するリミットリブが設けられ、前記装着凸台の側壁面と前記リミットリブの内側の端面とは締まり嵌めであり、
又は、前記密封シールの外側壁面に、外に突出するリミットリブが設けられ、前記蒸気口の内側壁面と前記リミットリブの外端面とは締まり嵌めであることを特徴とする請求項１１に記載の上蓋組立体。
【請求項１３】
前記蒸気弁装着面は、左右が開き且つ後端が開いた装着面であり、前記弁蓋の左右の側面は、前記蒸気弁装着面の左右エッジと揃い、前記弁蓋の後端面は、前記蒸気弁装着面の後端エッジと揃うことを特徴とする請求項１乃至１２のいずれか一項に記載の上蓋組立体。
【請求項１４】
上蓋組立体であって、
蒸気口を開口して設ける蒸気弁装着位置が設けられる上蓋と、
前記蒸気弁装着位置に取り付けられると共に、前記蒸気口と連通する蒸気通路を有し、前記上蓋の上面の少なくとも１／２を覆う蒸気弁と、を含むことを特徴とする上蓋組立体。
【請求項１５】
前記蒸気弁装着位置は、左右が開いた装着面を有し、前記蒸気弁の左右の側面は、前記装着面の左右のエッジと揃うことを特徴とする請求項１４に記載の上蓋組立体。
【請求項１６】
前記蒸気弁装着位置は、後端が開いた装着面を有し、前記蒸気弁の後端面は、前記装着面の後端のエッジと揃うことを特徴とする請求項１４に記載の上蓋組立体。
【請求項１７】
前記蒸気弁は、前記上蓋の全ての上面を覆うことを特徴とする請求項１４乃至１６のいずれか一項に記載の上蓋組立体。
【請求項１８】
前記上蓋には、コントロールパネルを取り付けるパネル装着位置が設けられ、前記蒸気弁の前後の長さは、前記上蓋の前後の長さの１／２以上であることを特徴とする請求項１４乃至１６のいずれか一項に記載の上蓋組立体。
【請求項１９】
前記蒸気弁装着位置の前端面は、全体的に平面となり、前記蒸気弁の前端面は、全体的に前記蒸気弁装着位置の前端面と適応する平面となることを特徴とする請求項１８に記載の上蓋組立体。
【請求項２０】
前記蒸気弁の底部には、下向きに延びる装着凸台を有し、前記装着凸台には、前記蒸気通路の蒸気入口が開口して設けられ、
前記蒸気口内には、密封シールが設けられ、前記装着凸台が前記密封シールに挿入されると共に、前記密封シールと嵌合固定されることを特徴とする請求項１４乃至１６のいずれか一項に記載の上蓋組立体。
【請求項２１】
前記蒸気弁は、
弁座と、
前記弁座に覆設されると共に、前記弁座と連結して前記蒸気通路を形成し、前記上蓋の上面の少なくとも１／２を覆う弁蓋と、を含む請求項１４乃至１６のいずれか一項に記載の上蓋組立体。
【請求項２２】
前記弁蓋には、前記弁蓋の上面を覆う飾り蓋体が取り付けられていることを特徴とする請求項２１に記載の上蓋組立体。
【請求項２３】
調理器具であって、請求項１乃至２２のいずれか一項に記載の上蓋組立体を含むことを特徴とする調理器具。
【請求項２４】
前記調理器具は炊飯器であることを特徴とする請求項２３に記載の調理器具。
【発明の詳細な説明】
【技術分野】
【０００１】
本発明は、台所用品分野に関し、特に、上蓋組立体及び該上蓋組立体を含む調理器具に関する。
【背景技術】
【０００２】
現在、市場における調理器具、例えば炊飯器において、蒸気弁は、炊飯器の中で、泡切り、溢れ防止という役割を果たし、しかし、蒸気弁の寸法制限のため、キャビティの容積が小さく、溢れ防止の性能が悪く、同時に、炊飯過程における加熱力が極めて限定される。また、炊飯器の蓋体に取付けられた蒸気弁において、通常、蒸気弁座は蓋体の蒸気弁装着面と接触し、蒸気弁蓋の周りには隙間がある。このような構造には短所があり、蒸気弁のキャビティが大きい時、製品の加熱する過程において、蒸気弁全体の熱を受ける面積が大きく、蒸気弁座の底部合わせ面と、蓋体の蒸気弁装着面とは、熱を受けることによって変形しアーチ状になり易いため、蒸気弁が突き上げられて、密封シールから脱出し、製品の蒸気漏れを起こしてしまう。
【発明の概要】
【発明が解決しようとする課題】
【０００３】
本発明は、少なくとも既存技術における技術問題の一つを解決するためのものである。
そこで、本発明は、上蓋組立体を提供することを第１態様の目的とする。
本発明は、上蓋組立体を提供することを第２態様の目的とする。
本発明は、上蓋組立体を提供することを第３態様の目的とする。
本発明は、上記上蓋組立体を含む調理器具を提供することを第４態様の目的とする。
【課題を解決するための手段】
【０００４】
上記目的を実現するために、本発明の第１態様の実施例は、上蓋組立体であって、蒸気弁装着面が設けられる蓋体と、前記蒸気弁装着面に取り付けられ、弁座と前記弁座に覆設された弁蓋とを含む蒸気弁と、を含み、前記弁蓋には、その周方向に沿って周回合わせ面が設けられ、前記周回合わせ面が前記蒸気弁装着面に支持され、前記弁座の底部合わせ面と前記蒸気弁装着面との間に隙間がある上蓋組立体を提供する。
【０００５】
本発明の上記実施例で提供する上蓋組立体によると、弁蓋には、その周方向に沿って周回合わせ面が設けられ、蒸気弁を蓋体の蒸気弁装着面に取り付ける時、弁蓋の周回合わせ面は、蓋体の蒸気弁装着面と先に接触し、弁座の底部合わせ面と蒸気弁装着面との間に隙間があり、即ち弁座は、浮く状態となり、そうすると、弁座の底部合わせ面、又は、蓋体の蒸気弁装着面が熱を受けることによって変形しアーチ状になる時に、蒸気弁全体が突き上げられて密封シールから脱出することを防止するので、密封不良、蒸気漏れの問題を避け、製品使用の信頼性を保証する。
【０００６】
また、本発明の上記実施例で提供する上蓋組立体は、さらに以下のような付加的技術的な特徴を有する：
【０００７】
上記技術案において、前記弁蓋は、その周方向に沿って下向きに延びて前記周回合わせ面を形成し、且つ前記周回合わせ面は、前記弁座の底部合わせ面より、下向きに突出することが好ましい。
【０００８】
弁蓋と弁座とを組み立て蒸気弁を構成し、弁蓋の周回合わせ面は、弁座の底部合わせ面より、下向きに突出することで、蒸気弁を蓋体に取り付ける時に、弁蓋の周回合わせ面から蓋体の蒸気弁装着面までの距離より、弁座の底部合わせ面から蓋体の蒸気弁装着面までの距離が大きいため、弁蓋の周回合わせ面は、蓋体の蒸気弁装着面と先に接触し、弁座の底部合わせ面から蓋体の蒸気弁装着面までの距離が大きいため、弁座は浮く状態となり、弁座の底部合わせ面、又は、蓋体の蒸気弁装着面が熱を受けることによって変形しアーチ状になる時に、蒸気弁全体が突き上げられて密封シールから脱出することを防止するので、密封不良、蒸気漏れの問題を避け、製品使用の信頼性を保証する。
【０００９】
上記技術案において、前記蒸気弁装着面には、前記周回合わせ面と対応して設けられると共に、上向きに突出する支持台が設けられ、前記周回合わせ面が前記支持台に支持されることが好ましい。
【００１０】
蒸気弁装着面の周回合わせ面と対応する位置に、上向きに突出する支持台が設けられ、弁蓋と弁座を組み立て蒸気弁を構成し、且つ蓋体に取り付ける時に、弁蓋の周回合わせ面が蒸気弁装着面の支持台に支持され、そうすると、弁蓋の周回合わせ面は、蓋体の蒸気弁装着面と先に接触し、弁座の底部合わせ面から蓋体の蒸気弁装着面までの距離が大きいため、弁座は浮く状態となり、弁座の底部合わせ面、又は、蓋体の蒸気弁装着面が熱を受けることによって変形しアーチ状になる時に、蒸気弁全体が突き上げられて密封シールから脱出することを防止するので、密封不良、蒸気漏れの問題を避け、製品使用の信頼性を保証する。
【００１１】
上記技術案において、前記弁座の底部合わせ面と、前記蒸気弁装着面との間の隙間は１ｍｍ〜１０ｍｍであることが好ましい。
【００１２】
弁座の底部合わせ面と、蒸気弁装着面との間の隙間を１ｍｍ〜１０ｍｍ、具体的に、例えば１ｍｍ、３ｍｍ、５ｍｍ、７ｍｍ、１０ｍｍに設計することで、両者の隙間が小さ過ぎることにより当該隙間が弁座又は蓋体の変形を相殺できないという問題を避けると共に、両者の隙間が大き過ぎることにより上蓋組立体全体の構造がコンパクトにならないという問題を避ける。当然、弁座の底部合わせ面と、蓋体の蒸気弁装着面との間の隙間は、上記具体的な限定に限らず、該隙間の大きさは、弁座の底部合わせ面、又は、蓋体の蒸気弁装着面の具体的な変形量に応じて決めることができる。
【００１３】
本発明の第２態様の実施例は、上蓋組立体であって、調理器具に用いられ、蒸気弁装着面が設けられる蓋体と、前記蒸気弁装着面に取り付けられ、弁座と前記弁座に覆設された弁蓋とを含む蒸気弁と、を含み、前記蒸気弁装着面には、前記弁蓋と対応して設けられると共に、上向きに突出する支持台が設けられ、前記弁蓋が前記支持台に支持され、且つ前記支持台の少なくとも一部が、前記弁座の底部合わせ面の少なくとも一部より上向きに突出し又は支持台の最高点は弁座の底部合わせ面の最低点と揃い、且つ前記弁座の底部合わせ面と、その下方にある前記蒸気弁装着面との間に隙間がある上蓋組立体を提供する。
【００１４】
本発明の上記実施例で提供する上蓋組立体によると、蒸気弁装着面の弁蓋に対応する位置が、上向きに突出して支持台を形成し、弁蓋が支持台の上面に支持され、且つ支持台の上面の少なくとも一部が、弁座の少なくとも一部の底部合わせ面より上向きに突出し、又は、支持台の最高点と弁座の底部合わせ面の最低点と揃い（支持台の最高点と弁座の底部合わせ面の最低点とは、同一の水平面にある）、且つ蒸気弁装着面の弁座の底部合わせ面下方に位置する一部は、弁座の底部合わせ面との間に隙間があり、これは、蒸気弁装着面の弁座の底部合わせ面の真下に位置する一部と、弁座の底部合わせ面との間に隙間があること、及び／又は、蒸気弁装着面の弁座の底部合わせ面の斜め下に位置する一部と、弁座の底部合わせ面との間に隙間があることを含み、そうすると、蒸気弁を蓋体の蒸気弁装着面に取り付ける時に、弁蓋は蒸気弁装着面の支持台と先に接触し、弁座の底部合わせ面と、蒸気弁装着面の弁座の底部合わせ面の下方に位置する一部との間に隙間があり、即ち弁座は浮く状態となり、このため、弁座の底部合わせ面、又は、蓋体の蒸気弁装着面が熱を受けることによって変形しアーチ状になる時に、蒸気弁全体が突き上げられて密封シールから脱出することを防止するので、密封不良、蒸気漏れの問題を避け、製品使用の信頼性を保証する。
【００１５】
また、本発明の上記実施例で提供する上蓋組立体は、さらに以下の付加的技術的な特徴を有する：
【００１６】
上記技術案において、前記支持台は、周回のリング状支持台であり、又は、前記蒸気弁装着面に、間隔を開けて分布する複数の前記支持台を設け、前記弁蓋が複数の前記支持台に支持されることが好ましい。
【００１７】
蒸気弁装着面には、一つの支持台が設けられる。支持台は、蒸気弁装着面の周方向に沿って連続して分布して、周回のリング状支持台を形成しても良く、当然、支持台は周回ではなく、例えば、支持台は半円形に囲んで形成しても良く、又は、蒸気弁装着面に、間隔を開けて分布する複数の支持台を設け、弁蓋が複数の支持台に支持され、さらに、複数の支持台は、蒸気弁装着面において均一的に分布する。弁蓋が支持台の上面に支持され、且つ支持台の上面は平面であり、弁蓋と支持台の上面と対応する位置も、対応して平面に設置することが好ましい。
【００１８】
上記技術案において、前記弁座の底部合わせ面と、その下方にある前記蒸気弁装着面との間の隙間は１ｍｍ〜１０ｍｍであることが好ましい。
【００１９】
弁座の底部合わせ面と、その下方にある蒸気弁装着面との間の隙間を１ｍｍ〜１０ｍｍ、具体的に、例えば１ｍｍ、３ｍｍ、５ｍｍ、７ｍｍ、１０ｍｍに設計することで、両者の隙間が小さ過ぎることにより該隙間が弁座又は蓋体の変形を相殺できないという問題を避けると共に、両者の隙間が大き過ぎることにより上蓋組立体全体の構造がコンパクトにならないという問題を避ける。当然、弁座の底部合わせ面と、その下方にある蒸気弁装着面との間の隙間は、上記具体的な限定に限らず、該隙間の大きさは、弁座の底部合わせ面、又は、蓋体の蒸気弁装着面の具体的な変形量に応じて決めることができる。
【００２０】
上記技術案において、前記弁座には、逆流穴が設けられ、前記逆流穴内には、リターン弁が設けられ、前記弁座の底部合わせ面のエッジから前記逆流穴に接近する方向へ、前記弁座の底部合わせ面が、全体的に下向きに傾いていることが好ましい。
【００２１】
弁座の底部合わせ面のエッジから逆流穴に接近する方向へ、弁座の底部合わせ面が全体的に下向きに傾いていることで、逆流穴が弁座の底部合わせ面の最低点の所に位置され、凝縮水の自重を十分に利用して蒸気弁のキャビティにおける凝縮水、重湯などの逆流を加速させ、凝縮水が蒸気弁キャビティに溜まって排出できないことを避ける。蒸気弁装着面のエッジに沿って逆流穴に接近する方向へ、弁座の底部合わせ面の下方にある蒸気弁装着面が、全体的に下向きに傾いていることが好ましい。
【００２２】
上記技術案において、支持台が蒸気弁装着面のエッジに位置されると共に、弁蓋のエッジに支持されることが好ましい。
【００２３】
上記技術案において、前記蒸気弁には、第１吸引部材が設けられ、前記蓋体には、前記第１吸引部材と磁気吸引可能な第２吸引部材が対応して設けられることで、前記蒸気弁は前記第１吸引部材と前記第２吸引部材との間の吸引力によって、前記蓋体に吸引されることが好ましい。
【００２４】
蒸気弁に第１吸引部材を設け、蓋体に第１吸引部材と対応すると共に、第１吸引部材との間に磁気引き込み可能な第２吸引部材を設けることで、蒸気弁を蓋体に固定する強固性をさらに向上させる。蒸気弁は熱を受けて変形して、蒸気弁が正常の取付位置からずれる時に、第１吸引部材と第２吸引部材との間の吸引力は、蒸気弁が熱を受けて変形することによる蓋体に対する蒸気弁の運動を相殺或いは低減することができ、蒸気弁と蓋体との間の隙間が増大することを避けるので、蒸気弁を蓋体の蒸気弁装着面に効果的に固定させる。
【００２５】
上記技術案において、さらに、第２吸引部材が、支持台内又は支持台真下にある蓋体内に設けられ、第１吸引部材が、弁蓋の支持台の真上にある位置に設けられる。当然、第１吸引部材と第２吸引部材との間の吸引力で、蒸気弁を蓋体の正しい位置に取り付けると共に、蒸気弁が熱を受けることで突き上げられることを防ぐことを保証できれば、第１吸引部材と第２吸引部材は、他の位置に設置することもできる。
【００２６】
上記技術案において、前記蒸気弁装着面には、蒸気口が開口して設けられ、前記弁蓋と前記弁座との間で蒸気通路を限定し、前記蒸気通路の蒸気入口と前記蒸気口とは気密に連通することが好ましい。
【００２７】
上記技術案において、前記蒸気弁装着面には、蒸気口が開口して設けられ、前記弁蓋と前記弁座との間で蒸気通路を限定し、前記蒸気通路の蒸気入口と前記蒸気口とは気密に連通することが好ましい。
【００２８】
蒸気が蒸気口を介して蒸気通路に入ると共に、蒸気通路の蒸気排出口を介して排出される。逆流穴を蒸気入口に接近するように設けることが好ましい。
【００２９】
上記技術案において、前記弁座の底部合わせ面には、下向きに突出する装着凸台が設けられ、前記装着凸台には、前記蒸気入口が開口して設けられ、前記蒸気口内に密封シールが設けられ、前記装着凸台が前記密封シールに挿入されると共に、前記密封シールと嵌合固定され、又は、前記装着凸台外側に密封シールが設けられ、前記装着凸台と密封シールは、前記蒸気口に挿入されると共に、前記蒸気口と嵌合固定されることが好ましい。
【００３０】
上記技術案において、前記密封シールの側壁面に、内に突出するリミットリブが設けられ、前記装着凸台の側壁面と前記リミットリブの内側の端面とは締まり嵌めであり、又は、前記密封シールの外側壁面に、外に突出するリミットリブが設けられ、前記蒸気口の内側壁面と前記リミットリブの外端面とは締まり嵌めであることが好ましい。
【００３１】
装着する際、密封シールを蓋体の蒸気口に取付けて、弁蓋と弁座とを、嵌め合わせなどの方式を採用して組み立てて蒸気弁を構成し、それから、蒸気弁を蓋体の蒸気弁装着面に取り付けて、蒸気弁を下に押し付けることで、蒸気弁の装着凸台を密封シール内に挿入させて嵌合固定する。又は、弁蓋と弁座とを、嵌め合わせなどの方式を採用して組み立てて蒸気弁を構成し、それから、密封シールを装着凸台外側に組み込んで、蒸気弁を蓋体の蒸気弁装着面に取付けて、蒸気弁を下に押し付けることで、密封シールが嵌められた蒸気弁装着凸台を蒸気口内に挿入させて嵌合固定し、蒸気弁の蓋体における安定な取付けを実現すると共に、密封シールで蒸気弁を密封して、蓋体の蒸気口と、蒸気弁で限定された蒸気通路とが気密に連通することを保証する。
【００３２】
上記技術案において、前記蒸気弁装着面は、左右が開き且つ後端が開いた装着面であり、前記弁蓋の左右の側面は、前記蒸気弁装着面の左右エッジと揃い、前記弁蓋の後端面は、前記蒸気弁装着面の後端エッジと揃うことが好ましい。
【００３３】
蒸気弁装着面は、左右が開き且つ後端が開いた装着面であり、即ち蒸気弁装着面は囲まれた取付け溝ではなく、開放面であるため、洗浄盲点を防ぎ、蒸気弁装着面を洗浄することが有利である。また、蓋体には、囲まれた取付け溝がないため、このように、蒸気弁の大きさを空間上で限定することがなく、蒸気弁の寸法を増加することによって、蒸気の蒸気弁における流動距離を効果的に増加できるので、蒸気に混じられた米粒や、重湯などの蒸気弁内における逆流距離を増加させ、これによって、優れた溢れ防止効果を果たす。弁蓋の左右側面は、蒸気弁装着面の左右エッジと揃い、弁蓋の後端面は、装着面の後端エッジと揃うことで、蒸気弁を効果的に大きく加工すると共に、上蓋組立体の外観効果を保証できる。
【００３４】
本発明の第３態様の実施例は、上蓋組立体であって、蒸気口を開口して設ける蒸気弁装着位置が設けられる上蓋と、前記蒸気弁装着位置に取付けられると共に、前記蒸気口と連通する蒸気通路を有する蒸気弁と、を含み、前記蒸気弁は、前記上蓋の上面の少なくとも１／２を覆う上蓋組立体を提供する。
【００３５】
本発明の上記実施例で提供する上蓋組立体によると、寸法が大きな蒸気弁の設計コンセプトを採用し、蒸気弁の寸法は、上蓋寸法の１／２を超えることによって、蒸気弁キャビティの容積を増加させ、蒸気の蒸気弁における流動距離を増加して、炊飯器の炊飯過程における溢れ防止性能を顕著に向上させ、従来の蒸気弁キャビティの容積が小さいことにより溢れ防止性能が悪いという問題を解決し、同時に、溢れない前提で、ハイパワー加熱の上限を極めて向上させることができ、炊飯食感を改善することが有利であり、且つ、蒸気弁の寸法が上蓋寸法の半分を超え、つまり、上蓋の半分以上の面積は、蒸気弁と共に外して洗うことができ、そうすると、上蓋はさらに洗浄し易くなり、製品の洗浄の便利性を大幅に増加させる。
【００３６】
また、本発明の上記実施例で提供する上蓋組立体は、さらに以下の付加的技術的な特徴を有する：
【００３７】
上記技術案において、前記蒸気弁装着位置は、左右が開いた装着面を有し、前記蒸気弁の左右の側面は、前記装着面の左右のエッジと平行することが好ましい。
蒸気弁装着位置は、左右が開いた装着面を有することで、蒸気弁の大きさは蒸気弁装着位置の空間制限によって大きく加工できない問題を避け、蒸気弁の寸法を増加することで、優れた溢れ防止効果を果たし、且つ蒸気弁装着位置の洗浄が便利である。蒸気弁の左右の側面は、装着面の左右のエッジと揃うように設計することで、上蓋組立体の全体的な外観効果を効果的に保証し、上蓋組立体の外観設計要求を満たすことが好ましい。
【００３８】
上記技術案において、前記蒸気弁装着位置は、後端が開いた装着面を有し、前記蒸気弁の後端面は、前記装着面の後端のエッジと揃うことが好ましい。
【００３９】
蒸気弁装着位置は、後端が開放された装着面を有し、蒸気弁の大きさは蒸気弁装着位置の空間制限によって大きく加工できない問題を避け、蒸気弁の寸法を増加することによって、優れた溢れ防止效果を果たし、且つ蒸気弁装着位置の洗浄が便利である。蒸気弁の後端面は、装着面の後端のエッジと揃うように設計することで、上蓋組立体の全体的な外観効果を効果的に保証し、上蓋組立体の外観設計要求を満たすことが好ましい。
【００４０】
蒸気弁装着位置は、左右が開き且つ後端が開いた装着面を有し、即ち蒸気弁装着位置は、囲まれた取付け溝ではなく、開放された面であり、このため、蒸気弁装着位置に、洗浄盲点があるという問題を効果的に解決し、蒸気弁装着位置を洗浄することが便利である。上蓋には、囲まれた取付け溝構造がないため、蒸気弁の大きさは空間上で制限されなく、蒸気弁の大きさは蒸気弁装着位置の空間制限によって、大きく加工できない問題を避け、蒸気弁の寸法を増加することによって、優れた溢れ防止效果を果たし、且つ溢れない前提で、ハイパワー加熱の上限を向上させ、炊飯食感を改善することが更に好ましい。
【００４１】
本発明の一実施例において、前記蒸気弁は、前記上蓋の全ての上面を覆う。
【００４２】
調理器具、例えば炊飯器の本体にコントロールパネルを設計した製品について、蒸気弁は上蓋の全ての上面を覆うことで、蒸気弁の寸法を最大化に増加し、溢れ防止の效果を更に向上させる。
【００４３】
本発明の実施例によると、前記上蓋には、パネル装着位置が設けられ、前記パネル装着位置には、コントロールパネルが取付けられ、前記蒸気弁の前後の長さは、前記上蓋の前後の長さの１／２以上である。
【００４４】
調理器具、例えば炊飯器の上蓋にコントロールパネルを設計した製品について、蒸気弁の前後の長さを上蓋の前後の長さの１／２以上とすることで、コントロールパネルの設計要求を保証する前提で、蒸気弁の前後の長さを増加することによって、蒸気が蒸気弁キャビティにおける流動距離を効果的に増加し、炊飯器で炊飯する時の溢れ防止効果を向上させる。蒸気弁は、上蓋のコントロールパネル以外の全ての上面を覆うことが好ましい。
【００４５】
上記技術案において、前記蒸気弁装着位置の前端面全体は平面となり、前記蒸気弁の前端面全体は、前記蒸気弁装着位置の前端面と適応する平面となることが好ましい。
【００４６】
蒸気弁装着位置と蒸気弁の前端面とは、共に平面に設計することで、蒸気弁装着位置及び蒸気弁の加工が更に便利になると共に、上蓋組立体の全体的な外観效果を満たす。当然、蒸気弁装着位置及び蒸気弁の前端面は、必要に応じてアーチ面など他の形状に設計することができ、本発明の設計構想を逸脱しない限り、全ては本発明の保護範囲に含まれる。
【００４７】
上記技術案において、前記蒸気弁の底部には、下向きに延びる装着凸台を有し、前記装着凸台には、前記蒸気通路の蒸気入口が開口して設けられ、前記蒸気口内には、密封シールが設けられ、前記装着凸台が前記密封シールに挿入されると共に、前記密封シールと嵌合固定されることが好ましい。
【００４８】
上記技術案において、前記蒸気弁装着位置の前端部で、後ろに向けて開口している挿入溝を限定し、前記蒸気弁の前端部には、前に突出する挿入用リブが設けられ、前記挿入用リブは、前記挿入溝内に挿入されてストッパとなることが好ましい。
【００４９】
装着する際、蒸気弁の前端を斜め下に、上蓋の蒸気弁装着位置に挿入し、蒸気弁前端の挿入用リブを、蒸気弁装着位置の前端で限定された挿入溝内に挿入し、それから、蒸気弁を押し付けて、蒸気弁の装着凸台を上蓋の蒸気口の密封シール内に挿入させて嵌合固定することによって、蒸気弁の蒸気弁装着位置における安定な取付けを実現し、蒸気弁の上下左右の揺れを避け、蒸気弁と蒸気弁装着位置との間の隙間を減少して、上蓋組立体の外観効果を保証する。
【００５０】
上記技術案において、前記蒸気弁は、弁座と、前記弁座に覆設されると共に、前記弁座と連結して前記蒸気通路を形成し、前記上蓋の上面の少なくとも１／２を覆う弁蓋と、を含むことが好ましい。
【００５１】
蒸気弁の外観效果及び装着要求を保証するために、通常、蒸気弁の弁蓋の寸法は、弁座の寸法以上であるため、蒸気弁の弁蓋の寸法は少なくとも上蓋寸法の半分より大きいであることを保証する。
【００５２】
上記技術案において、前記弁蓋には、飾り蓋体が取付けられ、前記飾り蓋体は前記弁蓋の上面を覆うことが好ましい。
【００５３】
飾り蓋体は弁蓋の上面を覆い、飾り蓋体は飾りの作用を果たし、特に、寸法が相対的に大きな蒸気弁に対しては、弁蓋の寸法を増加するのに伴い、弁蓋の強度が低下し、熱を受けて変形し易くなるが、弁蓋の上面に飾り蓋体を覆うことによって、弁蓋が熱を受けることによる変形を遮り、飾り蓋体の飾り効果は更に顕著になる。
【００５４】
具体的に、本発明第３態様の実施例で提供する上蓋組立体の上蓋は、具体的に、第１及び第２態様の実施例における蓋体であることができ、第３態様の実施例で提供する上蓋組立体の蒸気弁装着位置は、具体的に、第１及び第２態様の実施例における蒸気弁装着面であることができる。第１及び第２態様の実施例の蓋体は、第３態様の実施例の上蓋であることができ、第１及び第２態様の実施例の蒸気弁装着面は、第３態様の実施例の蒸気弁装着位置であることができる。
【００５５】
本発明の第４態様の実施例、調理器具であって、上記いずれかに記載の上蓋組立体を含み、且つ上記いずれかに上蓋組立体の有益效果を有する調理器具を提供する。
【００５６】
本発明の一つの実施例によると、前記調理器具は炊飯器である。前記上蓋組立体は、調理器具の本体にヒンジ接続でき、調理器具の本体にねじ込んで接続することができ、調理器具の本体に配置すると共に、本体と連結することができることを説明すべきである。
【００５７】
本発明の他の態様やメリットは以下の説明によって明確になり、又は本発明を実施することで理解できる。
【図面の簡単な説明】
【００５８】
本発明の上記及び／又は他の態様やメリットは以下の図面を結合した実施例の説明から明確になり、容易に理解することができる。
【図１】本発明の一実施例の上蓋組立体の部分構造の断面模式図である。
【図２】本発明の一実施例の上蓋組立体の部分構造の分解模式図である。
【図３】本発明の実施例の上蓋組立体の部分構造の分解模式図である。
【図４】図３に示す上蓋組立体の部分構造の断面模式図である。
【図５】本発明の一実施例の上蓋組立体の装着構造模式図である。
【図６】本発明の一実施例の上蓋組立体の分解構造模式図である。
【発明を実施するための形態】
【００５９】
本願は２０１６年１０月８日に中国特許庁に出願された、出願番号が２０１６１０８８３０４７６、発明の名称が「上蓋組立体及び調理器具」である中国特許出願と、２０１６年１０月８日に中国特許庁に出願された、出願番号が２０１６２１１０７０１８２、考案の名称が「上蓋組立体及び調理器具」である中国実用新案登録出願と、２０１６年８月１８日に中国特許庁に出願された、出願番号が２０１６１０６９３１０９７、発明の名称が「上蓋組立体及び調理器具」である中国特許出願と、２０１６年８月１８日に中国特許庁に出願された、出願番号が２０１６２０９０３２５１５、考案の名称が「上蓋組立体及び調理器具」である中国実用新案登録出願とに基づき優先権を主張し、その内容の全てを引用により本願に取り入れる。
【００６０】
本発明の上記目的、特徴、メリットを一層明確に理解するように、以下、図面と具体な実施形態を結合して本発明を更に詳しく説明する。なお、衝突しない限り、本願の実施例及び実施例中の特徴を組み合せすることができる。
本発明を充分に理解するように、以下の説明で多くの具体な詳細を説明するが、本発明はここで説明する形態と異なる形態で実施することもできるので、本発明の保護範囲は以下で開示する具体な実施例に限定されない。
【００６１】
以下、添付図面を参照して、本発明に係る一部の実施例の鍋と調理器具を説明する。
【００６２】
実施例一：
図１乃至図２に示すように、本発明に係る一部の実施例で提供する上蓋組立体は、蓋体１０と蒸気弁６０を含む。
【００６３】
蓋体１０には、蒸気弁装着面１０１が設けられ、蒸気弁６０が蒸気弁装着面１０１に取付けられ、蒸気弁６０は、弁座３０と、弁座３０に覆設された弁蓋２０とを含み、弁蓋２０にはその周方向に沿って周回合わせ面２０１が設けられ、周回合わせ面２０１が蒸気弁装着面１０１に支持され、弁座３０の底部合わせ面３０１と蒸気弁装着面１０１との間に隙間がある。
【００６４】
本発明の上記実施例で提供する上蓋組立体によると、弁蓋２０にはその周方向に沿って周回合わせ面２０１が設けられ、蒸気弁６０を蓋体１０の蒸気弁装着面１０１に取り付ける時、弁蓋２０の周回合わせ面２０１は蓋体１０の蒸気弁装着面１０１と先に接触し、弁座３０の底部合わせ面３０１と蒸気弁装着面１０１との間に隙間があり、即ち弁座３０は浮く状態となり、そうすると、弁座３０の底部合わせ面３０１、又は、蓋体１０の蒸気弁装着面１０１が熱を受けることによって変形しアーチ状になる時に、蒸気弁６０全体が突き上げられて密封シールから脱出することを防止するので、密封不良、蒸気漏れの問題を避け、製品使用の信頼性を保証する。
【００６５】
発明の一実施例において、図１乃至図２に示すように、弁蓋２０はその周方向に沿って下向きに延びて周回合わせ面２０１を形成し、且つ周回合わせ面２０１は弁座３０の底部合わせ面３０１より、下向きに突出する。
【００６６】
弁蓋２０と弁座３０とを組み立て蒸気弁６０を構成し、弁蓋２０の周回合わせ面２０１は弁座３０の底部合わせ面３０１より、下向きに突出することで、蒸気弁６０を蓋体１０に取り付ける時に、弁蓋２０の周回合わせ面２０１から蓋体１０の蒸気弁装着面１０１までの距離より、弁座３０の底部合わせ面３０１から蓋体１０の蒸気弁装着面１０１までの距離が大きく、このため、弁蓋２０の周回合わせ面２０１は蓋体１０の蒸気弁装着面１０１と先に接触し、弁座３０の底部合わせ面３０１から蓋体１０の蒸気弁装着面１０１までの距離が大きいため、弁座３０は浮く状態となり、弁座３０の底部合わせ面３０１、又は、蓋体１０の蒸気弁装着面１０１が熱を受けることによって変形しアーチ状になる時に、蒸気弁６０全体が突き上げられて密封シールから脱出することを防止するので、密封不良、蒸気漏れの問題を避け、製品使用の信頼性を保証する。
【００６７】
本発明の他の実施例において、蒸気弁装着面１０１には、周回合わせ面２０１と対応して設けられると共に、上向きに突出する支持台が設けられ、周回合わせ面２０１が支持台に支持される。
【００６８】
蒸気弁装着面１０１の周回合わせ面２０１と対応する位置に、上向きに突出する支持台が設けられ、弁蓋２０と弁座３０とを組み立て蒸気弁６０を構成し、且つ蓋体１０に取り付ける時に、弁蓋２０の周回合わせ面２０１が蒸気弁装着面１０１の支持台に支持され、そうすると、弁蓋２０の周回合わせ面２０１は蓋体１０の蒸気弁装着面１０１と先に接触し、弁座３０の底部合わせ面３０１から蓋体１０の蒸気弁装着面１０１までの距離が大きいため、弁座３０は浮く状態となり、弁座３０の底部合わせ面３０１、又は、蓋体１０の蒸気弁装着面１０１が熱を受けることによって変形しアーチ状になる時に、蒸気弁６０全体が突き上げられて密封シールから脱出することを防止するので、密封不良、蒸気漏れの問題を避け、製品使用の信頼性を保証する。
【００６９】
上記実施例において、図１乃至図２に示すように、弁座３０の底部合わせ面３０１と、蒸気弁装着面１０１との間の隙間は１ｍｍ〜１０ｍｍであることが好ましい。
【００７０】
弁座３０の底部合わせ面３０１と、蓋体１０の蒸気弁装着面１０１との間の隙間を１ｍｍ〜１０ｍｍ、具体的に、例えば１ｍｍ、３ｍｍ、５ｍｍ、７ｍｍ、１０ｍｍに設計することで、両者の隙間が小さ過ぎることにより当該隙間が弁座３０又は蓋体１０の変形を相殺できないという問題を避けると共に、両者の隙間が大き過ぎることにより上蓋組立体全体の構造がコンパクトにならないという問題を避ける。当然、弁座３０の底部合わせ面３０１と、蓋体１０の蒸気弁装着面１０１との間の隙間は上記具体的な限定に限らず、当該隙間の大きさは弁座３０の底部合わせ面３０１、又は、蓋体１０の蒸気弁装着面１０１の具体的な変形量に応じて決めることができる。
【００７１】
本発明の一実施例において、図１乃至図２に示すように、蒸気弁装着面１０１には、蒸気口１０２が開口して設けられ、弁蓋２０と弁座３０との間で蒸気通路を限定し、蒸気通路の蒸気入口３０３と蒸気口１０２とは気密に連通する。
【００７２】
蒸気が蒸気口１０２を介して蒸気通路に入り、蒸気通路の蒸気排出口２３２を介して排出される。逆流穴が蒸気入口に接近して設けられることが好ましい。
【００７３】
さらに、図１乃至図２に示すように、弁座３０の底部合わせ面３０１には下向きに突出する装着凸台３０２が設けられ、装着凸台３０２には蒸気入口３０３が設けられ、蒸気口１０２には密封シール４０が設けられ、装着凸台３０２は密封シール４０に挿入されると共に、密封シール４０と嵌合固定される。
【００７４】
さらに、図１乃至図２に示すように、密封シール４０の側壁面には、内に突出するリミットリブ４０１が設けられ、装着凸台３０２の側壁面とリミットリブ４０１の内側の端面とは締まり嵌めである。
【００７５】
装着する際、密封シール４０を蓋体１０の蒸気口１０２に取付けて、弁蓋２０と弁座３０と嵌め合わせなどの方式を採用して組み立てて蒸気弁６０を構成し、それから、蒸気弁６０を蓋体１０の蒸気弁装着面１０１に取付けて、蒸気弁６０を下に押し付けることで、蒸気弁６０の装着凸台３０２を密封シール４０に挿入させて嵌合固定し、蒸気弁６０の蓋体１０における安定な取付けを実現すると共に、密封シール４０で蒸気弁６０を密封して、蓋体１０の蒸気口１０２と蒸気弁６０で限定された蒸気通路とが気密に連通することを保証する。
【００７６】
本発明の他の実施例において、弁座装着凸台の外側には、密封シールが設けられ、装着凸台と密封シールは蒸気口に挿入されると共に、蒸気口と嵌合固定される。さらに、密封シールの外側壁面には外に突出するリミットリブ４０１が設けられ、蒸気口の内側壁面とリミットリブ４０１の外端面とは締まり嵌めである。
【００７７】
本発明の一実施例において、図２に示すように、蒸気弁装着面１０１は左右が開き且つ後端が開いた装着面であり、弁蓋２０の左右側面は蒸気弁装着面１０１の左右エッジと揃い、弁蓋２０の後端面は蒸気弁装着面１０１の後端エッジと揃う。
【００７８】
蒸気弁装着面１０１は左右が開き且つ後端が開いた装着面であり、即ち蒸気弁装着面１０１は囲まれた取付け溝ではなく、開放面であるため、洗浄盲点を防ぎ、蒸気弁装着面１０１を洗浄することが有利である。また、蓋体１０には囲まれた取付け溝がないため、このように、蒸気弁６０の大きさを空間上で限定することがなく、蒸気弁６０の寸法を増加することによって、蒸気の蒸気弁６０内における流動距離を効果的に増加でき、蒸気に混じられた米粒や、重湯などの蒸気弁６０内における逆流距離を増加させ、優れた溢れ防止效果を果たす。弁蓋２０の左右側面は蒸気弁装着面１０１の左右エッジと揃い、弁蓋２０の後端面は装着面の後端エッジと揃うことで、蒸気弁６０を効果的に大きく加工すると共に、上蓋組立体の外観效果を保証できる。
【００７９】
図４に示すように、弁座３０には逆流穴３０４が設けられ、逆流穴３０４内にはリターン弁が設けられ、弁座３０の底部合わせ面３０１のエッジから逆流穴３０４に接近する方向へ、弁座３０の底部合わせ面３０１が全体的に下向きに傾いていることが好ましい。
【００８０】
弁座３０の底部合わせ面３０１のエッジから逆流穴３０４に接近する方向へ、弁座３０の底部合わせ面３０１が全体的に下向きに傾いていることで、逆流穴３０４が弁座３０の底部合わせ面３０１の最低点の所に位置され、凝縮水の自重を十分に利用して、蒸気弁６０キャビティにおける凝縮水、重湯などの逆流を加速させ、凝縮水が蒸気弁６０キャビティに溜まって排出できないことを避ける。蒸気弁装着面のエッジに沿って逆流穴３０４に接近する方向へ、弁座３０の底部合わせ面３０１の下方にある蒸気弁装着面が、全体的に下向きに傾いていることが好ましい。
【００８１】
蒸気弁６０には第１吸引部材が設けられ、蓋体１０には第１吸引部材と磁気引き込み可能な第２吸引部材が対応して設けられることで、蒸気弁６０は第１吸引部材と第２吸引部材との間の吸引力によって、蓋体１０に吸引されることが好ましい。
【００８２】
蒸気弁６０に第１吸引部材を設け、蓋体１０に第１吸引部材と対応すると共に、第１吸引部材と磁気引き込み可能な第２吸引部材を設けることで、蒸気弁６０を蓋体１０に固定する強固性を更に向上させる。蒸気弁６０は熱を受けて変形して、蒸気弁６０が正常の取付位置からずれる時に、第１吸引部材と第２吸引部材との間の吸引力は、蒸気弁６０が熱を受けて変形することによる蓋体１０に対する蒸気弁６０の運動を相殺或いは低減することができ、蒸気弁６０と蓋体１０との間の隙間が増加することを避け、蒸気弁６０を効果的に蓋体１０の蒸気弁装着面に固定させる。
【００８３】
さらに、第２吸引部材が支持台内又は支持台真下にある蓋体１０内に設けられ、第１吸引部材が弁蓋２０の支持台の真上にある位置に設けられる。当然、第１吸引部材と第２吸引部材との間の吸引力で、蒸気弁６０を蓋体１０の正しい位置に取り付けると共に、蒸気弁６０が熱を受けることで突き上げられることを防ぐことを保証できれば、第１吸引部材と第２吸引部材は他の位置に設置することもできる。
【００８４】
実施例二：
図３乃至図４に示すように、上蓋組立体であって、調理器具に用いられ、蓋体１０と蒸気弁６０を含むのは実施例一と異なる点である。蓋体１０には蒸気弁装着面１０１が設けられ、蒸気弁６０が蒸気弁装着面１０１に取付けられ、蒸気弁６０は弁座３０と弁座３０に覆設された弁蓋２０とを含み、蒸気弁装着面１０１には弁蓋２０と対応して設けられると共に、上向きに突出する支持台１１１が設けられ、弁蓋２０が支持台１１１に（図３乃至図４に示すように、弁蓋２０のＡ箇所が支持台１１１に支持される）支持され、且つ支持台１１１の少なくとも一部が弁座３０の底部合わせ面３０１の少なくとも一部より、上向きに突出し、又は、支持台１１１の最高点は弁座３０の底部合わせ面３０１の最低点と揃い、且つ弁座３０の底部合わせ面３０１と、その下方にある蒸気弁装着面１０１との間に（図３乃至図４におけるＢ箇所に示すように）隙間がある。
【００８５】
本発明の上記実施例で提供する上蓋組立体によると、蒸気弁装着面１０１の弁蓋２０と対応する位置が、上向きに突出して支持台１１１を形成し、弁蓋２０が支持台１１１の上面に支持され、且つ支持台１１１の上面の少なくとも一部が弁座３０の少なくとも一部の底部合わせ面３０１より、上向きに突出し、又は、支持台１１１の最高点は弁座３０の底部合わせ面３０１の最低点と揃い（支持台１１１の最高点と弁座３０の底部合わせ面３０１の最低点とは、同一の水平面にある）、且つ蒸気弁装着面１０１の弁座３０の底部合わせ面３０１下方に位置する一部は、弁座３０の底部合わせ面３０１との間に隙間があり、これは、蒸気弁装着面１０１の弁座３０の底部合わせ面３０１真下に位置する一部と、弁座３０の底部合わせ面３０１との間に隙間があること、及び／又は、蒸気弁装着面１０１の弁座３０の底部合わせ面３０１の斜め下に位置する一部と、弁座３０の底部合わせ面３０１との間に隙間があることを含み、そうすると、蒸気弁６０を蓋体１０の蒸気弁装着面１０１に取り付ける時に、弁蓋２０は蒸気弁装着面１０１の支持台１１１と先に接触し、弁座３０の底部合わせ面３０１と、蒸気弁装着面１０１の弁座３０の底部合わせ面３０１の下方に位置する一部との間に隙間があり、即ち弁座３０は浮く状態となり、このため、弁座３０の底部合わせ面３０１、又は、蓋体１０の蒸気弁装着面１０１が熱を受けることによって変形しアーチ状になる時に、蒸気弁６０全体が突き上げられて密封シール４０から脱出することを防止するので、密封不良、蒸気漏れの問題を避け、製品使用の信頼性を保証する。
【００８６】
具体的な実施例において、図３に示すように、支持台１１１は、周回のリング状支持台１１１である。蒸気弁装着面１０１には一つの支持台１１１が設けられる。支持台１１１は蒸気弁装着面１０１の周方向に沿って連続的に分布して、周回のリング状支持台１１１を形成しても良く、当然、支持台１１１は周回ではなく、例えば、支持台１１１は半円形に囲んでも良い。
【００８７】
他の具体的な実施例において、蒸気弁装着面１０１に間隔を開けて分布する複数の支持台１１１が設けられ、弁蓋２０が複数の支持台１１１に支持される。蒸気弁装着面１０１に、間隔を開けて分布する複数の支持台１１１が設けられ、弁蓋２０が複数の支持台１１１に支持され、さらに、複数の支持台１１１は、蒸気弁装着面１０１において均一的に分布する。
【００８８】
弁蓋２０が支持台１１１の上面に支持され、且つ支持台１１１の上面は平面であり、弁蓋２０と、支持台１１１の上面に対応する位置も、対応して平面に設置することが好ましい。
【００８９】
弁座３０の底部合わせ面３０１と、その下方にある蒸気弁装着面１０１との間の隙間は１ｍｍ〜１０ｍｍであることが好ましい。
【００９０】
弁座３０の底部合わせ面３０１と、その下方にある蒸気弁装着面１０１との間の隙間を１ｍｍ〜１０ｍｍ、具体的に、例えば１ｍｍ、３ｍｍ、５ｍｍ、７ｍｍ、１０ｍｍに設計することで、両者の隙間が小さ過ぎることによる、当該隙間が弁座３０又は蓋体１０の変形を相殺できないという問題を避けると共に、両者の隙間が大き過ぎることによる、上蓋組立体全体の構造がコンパクトにならないという問題を避ける。当然、弁座３０の底部合わせ面３０１と、その下方にある蒸気弁装着面１０１との間の隙間は、上記具体的な限定に限らず、当該隙間の大きさは弁座３０の底部合わせ面３０１、又は、蓋体１０の蒸気弁装着面１０１の具体的な変形量に応じて決めることができる。
【００９１】
実施例三：
図５乃至図６に示すように、本発明の一部実施例で提供する上蓋組立体によると、上蓋５０と蒸気弁６０を含む。
【００９２】
上蓋５０には蒸気弁装着位置５０１が設けられ、蒸気弁装着位置５０１には蒸気口１０２が開口して設けられ、蒸気弁６０が蒸気弁装着位置５０１に取付けられ、且つ蒸気口１０２と連通する蒸気通路を有し、蒸気弁６０は上蓋５０の上面の少なくとも１／２を覆う。
【００９３】
本発明の上記実施例で提供する上蓋組立体によると、寸法が大きな蒸気弁６０の設計コンセプトを採用し、蒸気弁６０の寸法は上蓋５０寸法の１／２を超えることで、蒸気弁６０キャビティの容積を増加させ、蒸気の蒸気弁６０における流動距離を増加して、炊飯器の炊飯過程における溢れ防止性能を顕著に向上させ、従来の蒸気弁６０キャビティの容積が小さいことにより溢れ防止性能が悪いという問題を解決し、同時に、溢れない前提で、ハイパワー加熱の上限を極めて向上させることができ、炊飯食感を改善することが有利であり、且つ蒸気弁６０の寸法が上蓋５０寸法の半分を超え、つまり、上蓋５０の半分以上の面積は、蒸気弁６０と共に外して洗うことができ、そうすると、上蓋５０はさらに洗浄し易くなり、製品の洗浄の便利性を大幅に増加させる。
【００９４】
上記実施例において、図５乃至図６に示すように、蒸気弁装着位置５０１は左右が開いた装着面を有し、蒸気弁６０の左右側面は、装着面の左右エッジと揃うことが好ましい。
【００９５】
蒸気弁装着位置５０１は左右が開いた装着面を有することで、蒸気弁６０の大きさは蒸気弁装着位置５０１の空間制限によって大きく加工できないという問題を避け、蒸気弁６０の寸法を増加することで、優れた溢れ防止效果を果たし、且つ蒸気弁装着位置５０１の洗浄が便利である。蒸気弁６０の左右側面は、装着面の左右エッジと揃うように設計することで、上蓋組立体の全体的な外観效果を効果的に保証し、上蓋組立体の外観設計要求を満たすことが好ましい。
【００９６】
上記実施例において、図５乃至図６に示すように、蒸気弁装着位置５０１は後端が開いた装着面を有し、蒸気弁６０の後端面は装着面の後端エッジと揃うことが好ましい。
【００９７】
蒸気弁装着位置５０１は後端が開放された装着面を有し、蒸気弁６０の大きさは蒸気弁装着位置５０１の空間制限によって大きく加工できないという問題を避け、蒸気弁６０の寸法を増加することによって、優れた溢れ防止效果を果たし、且つ蒸気弁装着位置５０１の洗浄が便利である。蒸気弁６０の後端面は装着面の後端エッジと揃うように設計することで、上蓋組立体の全体的な外観效果を効果的に保証し、上蓋組立体の外観設計要求を満たすことが好ましい。
【００９８】
図５乃至図６に示しように、蒸気弁装着位置５０１は左右が開き且つ後端が開いた装着面を有し、即ち蒸気弁装着位置５０１は囲まれた取付け溝ではなく、開放された面であり、このため、蒸気弁装着位置５０１に洗浄盲点があるという問題を効果的に解決し、蒸気弁装着位置５０１を洗浄することが便利である。上蓋５０には囲まれた取付け溝構造がないため、蒸気弁６０の大きさは空間上で制限されなく、蒸気弁６０の大きさが蒸気弁装着位置５０１の空間制限によって、大きく加工できないという問題を避け、蒸気弁６０の寸法を増加することによって、優れた溢れ防止效果を果たし、且つ溢れない前提で、ハイパワー加熱の上限を向上させ、炊飯食感を改善することが更に好ましい。
【００９９】
本発明の一実施例において、蒸気弁６０は、上蓋５０の全ての上面を覆う。
【０１００】
調理器具、例えば炊飯器の本体にコントロールパネル７０を設計した製品について、蒸気弁６０は上蓋５０の全ての上面を覆うことで、蒸気弁６０の寸法を最大化に増加し、溢れ防止の效果を更に向上させる。
【０１０１】
本発明の他の実施例において、図５乃至図６に示すように、上蓋５０にはパネル装着位置が設けられ、パネル装着位置にはコントロールパネル７０が取付けられ、蒸気弁６０の前後の長さｈ１は上蓋５０の前後の長さｈ２の１／２以上である。
【０１０２】
調理器具、例えば炊飯器の上蓋５０にコントロールパネル７０を設計した製品について、蒸気弁６０の前後の長さｈ１は上蓋５０の前後の長さｈ２の１／２以上とすることで、コントロールパネル７０の設計要求を保証する前提で、蒸気弁６０の前後の長さを増加することによって、蒸気が蒸気弁６０キャビティにおける流動距離を効果的に増加し、炊飯器で炊飯する時の溢れ防止效果を向上させる。蒸気弁６０は上蓋５０のコントロールパネル７０以外の全ての上面を覆うことが好ましい。
【０１０３】
上記実施例において、図５乃至図６に示すように、蒸気弁装着位置５０１の前端面全体は平面となり、蒸気弁６０の前端面全体は蒸気弁装着位置５０１の前端面と適応する平面となることが好ましい。
【０１０４】
蒸気弁装着位置５０１と蒸気弁６０の前端面とは共に平面に設計することで、蒸気弁装着位置５０１及び蒸気弁６０の加工が更に便利になると共、上蓋組立体の全体的な外観效果を満たす。当然、蒸気弁装着位置５０１及び蒸気弁６０の前端面は、必要に応じてアーチ面など他の形状に設計することができ、本発明の設計構想を逸脱しない限り、全ては本発明の保護範囲内に含まれる。
【０１０５】
上記実施例において、図６に示すように、蒸気弁６０の底部には下向きに延びる装着凸台を有し、装着凸台には、蒸気通路の蒸気入口が開口して設けられ、蒸気口１０２内には密封シール４０が設けられ、装着凸台が密封シール４０に挿入されると共に、密封シール４０と嵌合固定されることが好ましい。
【０１０６】
上記実施例において、図６に示すように、蒸気弁装着位置５０１の前端部で、後ろに向けて開口している挿入溝６０３を限定し、蒸気弁６０の前端部には前に突出する挿入用リブ６０１が設けられ、挿入用リブ６０１は挿入溝６０３内に挿入してストッパとなることが好ましい。
【０１０７】
装着する際、蒸気弁６０の前端を斜め下に、上蓋５０の蒸気弁装着位置５０１に挿入し、蒸気弁６０前端の挿入用リブ６０１を蒸気弁装着位置５０１の前端で限定された挿入溝６０３内に挿入し、それから、蒸気弁６０を押し付けて、蒸気弁６０の装着凸台を上蓋５０の蒸気口１０２の密封シール４０内に挿入して嵌合固定することによって、蒸気弁６０の蒸気弁装着位置５０１における安定な取付けを実現し、蒸気弁６０の上下左右の揺れを避け、蒸気弁６０と蒸気弁装着位置５０１との隙間を減少して、上蓋組立体の外観效果を保証する。
【０１０８】
本発明の一実施例において、図５乃至図６に示すように、蒸気弁６０は、弁座３０と、弁座３０に覆設されると共に、弁座３０と連結して蒸気通路を形成し、上蓋５０の上面の少なくとも１／２を覆う弁蓋２０と、を含む。
【０１０９】
蒸気弁６０の外観效果及び装着要求を保証するために、通常、蒸気弁６０の弁蓋２０の寸法は、弁座３０の寸法以上であるため、蒸気弁６０の弁蓋２０寸法は少なくとも上蓋５０寸法の半分より大きいということを保証する。
【０１１０】
上記実施例において、図５及び図６に示すように、弁蓋２０には飾り蓋体６０２が取付けられ、飾り蓋体６０２は弁蓋２０の上面を覆うことが好ましい。
【０１１１】
飾り蓋体６０２は弁蓋２０の上面を覆い、飾り蓋体６０２は飾りの作用を果たし、特に、寸法が相対的に大きな蒸気弁６０に対しては、弁蓋２０の寸法を増加するのに伴い、弁蓋２０の強度が低下し、熱を受けて変形し易くなるが、弁蓋２０の上面に飾り蓋体６０２を覆うことによって、弁蓋２０が熱を受けることによる変形を遮り、飾り蓋体６０２の飾り效果は更に顕著になる。
【０１１２】
実施例四：
実施例一と実施例三との組み合わせであり、図１、図２、図５及び図６に示すように、この際、実施例三における上蓋５０は、具体的に、蓋体１０であっても良く、上蓋５０の蒸気弁装着位置５０１は、具体的に、蓋体１０の蒸気弁装着面１０１であっても良い。
【０１１３】
上蓋組立体であって、蓋体１０と蒸気弁６０を含む。蓋体１０には蒸気弁装着面１０１が設けられ、蒸気弁６０が蒸気弁装着面１０１に取付けられ、蒸気弁６０は弁座３０と弁座３０に覆設された弁蓋２０とを含み、弁蓋２０にはその周方向に沿って周回合わせ面２０１が設けられ、周回合わせ面２０１が蒸気弁装着面１０１に支持され、弁座３０の底部合わせ面３０１と蒸気弁装着面１０１との間に隙間がある。
【０１１４】
弁蓋２０は、その周方向に沿って、下向きに延びて周回合わせ面２０１を形成し、且つ周回合わせ面２０１は、弁座３０の底部合わせ面３０１より、下向きに突出することが好ましい。
【０１１５】
蒸気弁装着面１０１には、周回合わせ面２０１と対応して設けられると共に、上向きに突出する支持台が設けられ、周回合わせ面２０１が支持台に支持されることが好ましい。
【０１１６】
弁座３０の底部合わせ面３０１と蒸気弁装着面１０１との間の隙間は１ｍｍ〜１０ｍｍであることが好ましい。
【０１１７】
弁座３０には逆流穴３０４が設けられ、逆流穴３０４にはリターン弁が設けられ、弁座３０の底部合わせ面３０１のエッジから逆流穴３０４に接近する方向へ、弁座３０の底部合わせ面３０１が、全体的に下向きに傾いていることが好ましい。
【０１１８】
蒸気弁６０には第１吸引部材が設けられ、蓋体１０には第１吸引部材と磁気吸引可能な第２吸引部材が対応して設けられることで、蒸気弁６０は、第１吸引部材と第２吸引部材との間の吸引力によって、蓋体１０に吸引されることが好ましい。
【０１１９】
蒸気弁装着面１０１には蒸気口１０２が開口して設けられ、弁蓋２０と弁座３０との間で蒸気通路を限定し、蒸気通路の蒸気入口３０３と蒸気口１０２とは気密に連通することが好ましい。
【０１２０】
弁座３０の底部合わせ面３０１には下向きに突出する装着凸台３０２が設けられ、装着凸台３０２には蒸気入口３０３が開口して設けられ、蒸気口１０２内に密封シール４０が設けられ、装着凸台３０２が密封シール４０に挿入されると共に、密封シール４０と嵌合固定され、又は、装着凸台３０２外側に密封シール４０が設けられ、装着凸台３０２と密封シール４０は蒸気口１０２に挿入されると共に、蒸気口１０２と嵌合固定されることが好ましい。
【０１２１】
密封シール４０の側壁面に、内に突出するリミットリブ４０１が設けられ、装着凸台３０２の側壁面とリミットリブ４０１の内側の端面とは締まり嵌めであり、又は、密封シール４０の外側壁面に、外に突出するリミットリブ４０１が設けられ、蒸気口１０２の内側壁面とリミットリブ４０１の外端面とは締まり嵌めである。
【０１２２】
蒸気弁装着面１０１は、左右が開き且つ後端が開いた装着面であり、弁蓋２０の左右側面は、蒸気弁装着面１０１の左右エッジと揃い、弁蓋２０の後端面は、蒸気弁装着面１０１の後端エッジと揃う。
【０１２３】
蒸気弁６０は、蓋体１０の上面の少なくとも１／２を覆う。
【０１２４】
蒸気弁６０は蓋体１０の全ての上面を覆う。
【０１２５】
蓋体１０にはパネル装着位置が設けられ、パネル装着位置にはコントロールパネル７０が設けられ、蒸気弁６０の前後の長さは、蓋体１０の前後の長さの１／２以上である。
【０１２６】
弁蓋２０は蓋体１０の上面の少なくとも１／２を覆う。
【０１２７】
弁蓋２０には飾り蓋体６０２が設けられ、飾り蓋体６０２は弁蓋２０の上面を覆う。
【０１２８】
実施例五：
実施例二と実施例三との組み合わせであり、図３、図４、図５及び図６に示すように、この際、実施例三における上蓋５０は、具体的に蓋体１０であっても良く、上蓋５０の蒸気弁装着位置５０１は、具体的に蓋体１０の蒸気弁装着面１０１であっても良い。
【０１２９】
上蓋組立体は蓋体１０と蒸気弁６０を含むのは実施例四と異なる所である。蓋体１０には蒸気弁装着面１０１が設けられ、蒸気弁６０が蒸気弁装着面１０１に取付けられ、蒸気弁６０は、弁座３０と弁座３０に覆設された弁蓋２０とを含み、蒸気弁装着面１０１には弁蓋２０と対応して設けられると共に、上向きに突出する支持台１１１が設けられ、弁蓋２０が支持台１１１に支持され、且つ支持台１１１の少なくとも一部が弁座３０の底部合わせ面３０１の少なくとも一部より、上向きに突出し、又は、支持台１１１の最高点は弁座３０の底部合わせ面３０１の最低点と揃い、弁座３０の底部合わせ面３０１と、その下方にある蒸気弁装着面１０１との間に隙間がある。支持台１１１は周回のリング状支持台１１１であり、又は、蒸気弁装着面１０１に間隔を開けて分布する複数の支持台１１１が設けられ、弁蓋２０が複数の支持台１１１に支持される。弁座３０の底部合わせ面３０１と、その下方にある蒸気弁装着面１０１との間の隙間は１ｍｍ〜１０ｍｍである。
【０１３０】
実施例六：
実施例一と実施例三との組み合わせであり、この際、実施例一における蓋体１０は上蓋５０であっても良く、実施例一における蒸気弁装着面１０１は蒸気弁装着位置５０１であっても良いのは実施例四と異なる所である。
【０１３１】
上蓋組立体であって、上蓋５０と蒸気弁６０を含む。上蓋５０には蒸気弁装着位置５０１が設けられ、蒸気弁装着位置５０１には蒸気口１０２が開口して設けられ、蒸気弁６０が蒸気弁装着位置５０１に取り付けられ、且つ蒸気口１０２と連通する蒸気通路を有し、蒸気弁６０は、上蓋５０の上面の少なくとも１／２を覆う。
【０１３２】
蒸気弁装着位置５０１は、左右が開いた装着面を有し、蒸気弁６０の左右側面は、装着面の左右エッジと揃うことが好ましい。
【０１３３】
蒸気弁装着位置５０１は、後端が開いた装着面を有し、蒸気弁６０の後端面は、装着面の後端エッジと揃うことが好ましい。
【０１３４】
蒸気弁６０は、上蓋５０の全ての上面を覆うことが好ましい。
【０１３５】
上蓋５０にはパネル装着位置が設けられ、パネル装着位置にコントロールパネル７０が取り付けられ、蒸気弁６０の前後の長さは、上蓋５０の前後の長さの１／２以上であることが好ましい。
【０１３６】
蒸気弁装着位置５０１の前端面は、全体的に平面となり、蒸気弁６０の前端面は、全体的に蒸気弁装着位置５０１の前端面と適応する平面となることが好ましい。
【０１３７】
蒸気弁６０の底部は下向きに延びる装着凸台３０２を有し、装着凸台３０２には、蒸気通路の蒸気入口３０３が開口して設けられ、蒸気口１０２内には密封シール４０が設けられ、装着凸台３０２が密封シール４０に挿入されると共に、密封シール４０と嵌合固定されることが好ましい。
【０１３８】
蒸気弁６０は、弁座３０と、弁座３０に覆設されると共に、弁座３０と連結して、蒸気通路を形成し、上蓋５０の上面の少なくとも１／２を覆う弁蓋２０と、を含むことが好ましい。
【０１３９】
弁蓋２０には、飾り蓋体６０２が取り付けられ、飾り蓋体６０２は、弁蓋２０の上面を覆うことが好ましい。
【０１４０】
弁蓋２０には、その周方向に沿って周回合わせ面２０１が設けられ、周回合わせ面２０１が蒸気弁装着位置５０１に支持され、弁座３０の底部合わせ面３０１と蒸気弁装着位置５０１との間に隙間がある。さらに、蒸気弁装着位置は、上端が開放されると共に底面を有する取付構造であり、周回合わせ面２０１が蒸気弁装着位置５０１の底面に支持され、弁座３０の底部合わせ面３０１と蒸気弁装着位置５０１の底面との間に隙間があることが好ましい。
【０１４１】
弁蓋２０は、その周方向に沿って、下向きに延びる周回合わせ面２０１を形成し、且つ周回合わせ面２０１は、弁座３０の底部合わせ面３０１より、下向きに突出することが好ましい。
【０１４２】
蒸気弁装着位置５０１には、周回合わせ面２０１と対応して設けられると共に、上向きに突出する支持台が設けられ、周回合わせ面２０１が支持台に支持される。
【０１４３】
弁座３０の底部合わせ面３０１と蒸気弁装着位置５０１との間の隙間は１ｍｍ〜１０ｍｍである。
【０１４４】
弁座３０には逆流穴３０４が設けられ、逆流穴３０４内にはリターン弁が設けられ、弁座３０の底部合わせ面３０１のエッジから逆流穴３０４に接近する方向へ、弁座３０の底部合わせ面３０１は、全体的に下向きに傾いている。
【０１４５】
蒸気弁６０には第１吸引部材が設けられ、上蓋５０には第１吸引部材と磁気引き込み可能な第２吸引部材が対応して設けられることで、蒸気弁６０は第１吸引部材と第２吸引部材との間の吸引力によって、上蓋５０に吸引される。
【０１４６】
密封シール４０の側壁面には内に突出するリミットリブ４０１が設けられ、装着凸台３０２の側壁面とリミットリブ４０１の内側の端面とは締まり嵌めであり、又は、密封シール４０の外側壁面には外に突出するリミットリブ４０１が設けられ、蒸気口１０２の内側壁面とリミットリブ４０１の外端面とは締まり嵌めである。
【０１４７】
実施例七：
実施例二と実施例三との組み合わせであり、図３、図４、図５及び図６に示すように、この際、実施例二における蓋体１０は上蓋５０であっても良く、実施例二における蒸気弁装着面１０１は蒸気弁装着位置５０１であっても良いのは実施例五と異なる所である。
【０１４８】
上蓋組立体であって、上蓋５０と蒸気弁６０を含む。上蓋５０には蒸気弁装着位置５０１が設けられ、蒸気弁装着位置５０１には蒸気口１０２が開口して設けられ、蒸気弁６０が蒸気弁装着位置５０１に取り付けられ、且つ蒸気口１０２と連通する蒸気通路を有し、蒸気弁６０は上蓋５０の上面の少なくとも１／２を覆う。
【０１４９】
蒸気弁装着位置５０１は左右が開いた装着面を有し、蒸気弁６０の左右側面は装着面の左右エッジと揃うことが好ましい。
【０１５０】
蒸気弁装着位置５０１は後端が開いた装着面を有し、蒸気弁６０の後端面は装着面の後端エッジと揃うことが好ましい。
【０１５１】
蒸気弁６０は上蓋５０の全ての上面を覆うことが好ましい。
【０１５２】
上蓋５０にはパネル装着位置が設けられ、パネル装着位置にコントロールパネル７０が取り付けられ、蒸気弁６０の前後の長さは、上蓋５０の前後の長さの１／２以上であることが好ましい。
【０１５３】
蒸気弁装着位置５０１の前端面は、全体的に平面となり、蒸気弁６０の前端面は、全体的に蒸気弁装着位置５０１の前端面と適応する平面となることが好ましい。
【０１５４】
蒸気弁６０の底部には下向きに延びる装着凸台３０２を有し、装着凸台３０２には、蒸気通路の蒸気入口３０３が開口して設けられ、蒸気口１０２内には密封シール４０が設けられ、装着凸台３０２が密封シール４０に挿入されると共に、密封シール４０と嵌合固定されることが好ましい。
【０１５５】
蒸気弁６０は弁座３０と弁蓋２０を含み、弁蓋２０が弁座３０に覆設され、且つ弁座３０と連結して蒸気通路を形成し、弁蓋２０は上蓋５０の上面の少なくとも１／２を覆う。
【０１５６】
弁蓋２０には飾り蓋体６０２が設けられ、飾り蓋体６０２は、弁蓋２０の上面を覆う。
【０１５７】
蒸気弁装着位置５０１には弁蓋２０と対応して設けられると共に、上向きに突出する支持台１１１が設けられ、弁蓋２０が支持台１１１に支持され、且つ支持台１１１の少なくとも一部が、弁座３０の底部合わせ面３０１の少なくとも一部より上向きに突出し、又は、支持台１１１の最高点は、弁座３０の底部合わせ面３０１の最低点と揃い、弁座３０の底部合わせ面３０１と、その下方にある蒸気弁装着位置５０１との間に隙間がある。さらに、蒸気弁装着位置は上端が開放されると共に、底面を有する取付構造であり、支持台が蒸気弁装着位置５０１の底面に位置され、弁座３０の底部合わせ面３０１と、その下方にある蒸気弁装着位置５０１の底面との間に隙間がある。
【０１５８】
支持台１１１は周回のリング状支持台１１１であり、又は、蒸気弁装着位置５０１には、間隔を開けて分布する複数の支持台１１１が設けられ、弁蓋２０が複数の支持台１１１に支持される。
【０１５９】
弁座３０の底部合わせ面３０１と、その下方にある蒸気弁装着位置５０１との間の隙間は１ｍｍ〜１０ｍｍである。
【０１６０】
弁座３０には逆流穴３０４が設けられ、逆流穴３０４内にはリターン弁が設けられ、弁座３０の底部合わせ面３０１のエッジから逆流穴３０４に接近する方向へ、弁座３０の底部合わせ面３０１が、全体的に下向きに傾いている。
【０１６１】
蒸気弁６０には第１吸引部材が設けられ、上蓋５０には第１吸引部材と磁気引き込み可能な第２吸引部材が対応して設けられることで、蒸気弁６０は第１吸引部材と第２吸引部材との間の吸引力によって、上蓋５０に吸引される。
【０１６２】
密封シール４０の側壁面には内に突出するリミットリブ４０１が設けられ、装着凸台３０２の側壁面とリミットリブ４０１の内側の端面とは締まり嵌めであり、又は、密封シール４０の外側壁面には外に突出するリミットリブ４０１が設けられ、蒸気口１０２の内側壁面とリミットリブ４０１の外端面とは締まり嵌めである。
【０１６３】
本発明の第４態様の実施例は、上記いずれかに記載の上蓋組立体を含み、且つ上記いずれかに記載の上蓋組立体の有益效果を有する調理器具を提供する（図示せず）。
【０１６４】
本発明の一実施例において、前記調理器具は炊飯器である。
【０１６５】
当然、前記調理器具は、上記炊飯器以外に、上蓋５０に蒸気弁６０が取り付けられて蒸気を排出する他の調理器具であっても良く、本発明の設計構想を逸脱しない限り、全ては本発明の保護範囲に含まれる。
【０１６６】
以上のように、本発明の実施例で提供する上蓋組立体によると、一つには、寸法が大きな蒸気弁の設計コンセプトを採用し、蒸気弁の寸法が、上蓋の寸法の１／２を超えることで、蒸気弁キャビティの容積を増加させ、蒸気が蒸気弁における流動距離を増加して、炊飯器の炊飯過程における溢れ防止性能を顕著に向上させ、同時に、溢れない前提で、ハイパワー加熱の上限を極めて向上することができ、炊飯の食感を改善することが有利であり、且つ、蒸気弁の寸法が、上蓋寸法の半分を超え、つまり、上蓋の半分以上の面積は、蒸気弁と共に外して洗うことができ、そうすると、上蓋は更に洗浄し易くなり、製品の洗浄の便利性を大幅に増加させる。弁蓋にその周方向に沿って周回合わせ面を設けることで、蒸気弁を蓋体の蒸気弁装着面に取り付ける時に、弁蓋の周回合わせ面は蓋体の蒸気弁装着面と先に接触し、弁座の底部合わせ面と蒸気弁装着面との間に隙間があり、即ち弁座は浮く状態となり、このため、弁座の底部合わせ面、又は、蓋体の蒸気弁装着面が熱を受けることによって変形しアーチ状になる時に、蒸気弁全体が突き上げられて密封シールから脱出することを防止するので、密封不良、蒸気漏れの問題を避け、製品使用の信頼性を保証する。
添付特許請求があることに関わらず、本発明は、以下の項目に限定される：
【０１６７】
１．上蓋組立体であって、蒸気弁装着面が設けられる蓋体と、前記蒸気弁装着面に取り付けられ、弁座と前記弁座に覆設された弁蓋とを含む蒸気弁と、を含み、前記弁蓋には、その周方向に沿って周回合わせ面が設けられ、前記周回合わせ面が前記蒸気弁装着面に支持され、前記弁座の底部合わせ面と前記蒸気弁装着面との間に隙間があることを特徴とする上蓋組立体。
【０１６８】
２．前記弁蓋は、その周方向に沿って下向きに延びて前記周回合わせ面を形成し、且つ前記周回合わせ面は、前記弁座の底部合わせ面より下向きに突出することを特徴とする項目１に記載の上蓋組立体。
【０１６９】
３．前記蒸気弁装着面には、前記周回合わせ面と対応して設けられると共に、上向きに突出する支持台が設けられ、前記周回合わせ面が前記支持台に支持されることを特徴とする項目１に記載の上蓋組立体。
【０１７０】
４．前記弁座の底部合わせ面と、前記蒸気弁装着面との間の隙間は１ｍｍ〜１０ｍｍであることを特徴とする項目１に記載の上蓋組立体。
【０１７１】
５．上蓋組立体であって、調理器具に用いられ、蒸気弁装着面が設けられる蓋体と、前記蒸気弁装着面に取り付けられ、弁座と前記弁座に覆設された弁蓋とを含む蒸気弁と、を含み、前記蒸気弁装着面には、前記弁蓋と対応して設けられると共に、上向きに突出する支持台が設けられ、前記弁蓋が前記支持台に支持され、且つ前記支持台の少なくとも一部が、前記弁座の底部合わせ面の少なくとも一部より上向きに突出し又は前記支持台の最高点は前記弁座の底部合わせ面の最低点と揃い、前記弁座の底部合わせ面と、その下方にある前記蒸気弁装着面との間に隙間があることを特徴とする上蓋組立体。
【０１７２】
６．前記支持台は、周回のリング状支持台であり、又は、前記蒸気弁装着面に、間隔を開けて分布する複数の前記支持台が設けられ、前記弁蓋が複数の前記支持台に支持されることを特徴とする項目５に記載の上蓋組立体。
【０１７３】
７．前記弁座の底部合わせ面と、その下方にある前記蒸気弁装着面との間の隙間は１ｍｍ〜１０ｍｍであることを特徴とする項目５に記載の上蓋組立体。
【０１７４】
８．前記弁座には、逆流穴が設けられ、前記逆流穴内には、リターン弁が設けられ、前記弁座の底部合わせ面のエッジから前記逆流穴に接近する方向へ、前記弁座の底部合わせ面が、全体的に下向きに傾いていることを特徴とする項目５乃至７の中のいずれかに記載の上蓋組立体。
【０１７５】
９．前記蒸気弁には、第１吸引部材が設けられ、前記蓋体には、前記第１吸引部材と磁気引き込み可能な第２吸引部材が設けられることで、前記蒸気弁は、前記第１吸引部材と前記第２吸引部材との間の吸引力によって、前記蓋体に吸引されることを特徴とする項目５乃至７の中のいずれかに記載の上蓋組立体。
【０１７６】
１０．前記蒸気弁装着面には、蒸気口が開口して設けられ、前記弁蓋と前記弁座との間で蒸気通路を限定し、前記蒸気通路の蒸気入口と前記蒸気口とは気密に連通することを特徴とする前記項目の中のいずれかに記載の上蓋組立体。
【０１７７】
１１．前記弁座の底部合わせ面には、下向きに突出する装着凸台が設けられ、前記装着凸台には、前記蒸気入口が開口して設けられ、前記蒸気口内に密封シールが設けられ、前記装着凸台が前記密封シールに挿入されると共に、前記密封シールと嵌合固定され、又は、前記装着凸台の外側に密封シールが設けられ、前記装着凸台と密封シールは、前記蒸気口に挿入されると共に、前記蒸気口と嵌合固定されることを特徴とする項目１０に記載の上蓋組立体。
【０１７８】
１２．前記密封シールの側壁面に内に突出するリミットリブが設けられ、前記装着凸台の側壁面と前記リミットリブの内側の端面とは締まり嵌めであり、又は、前記密封シールの外側壁面に外に突出するリミットリブが設けられ、前記蒸気口の内側壁面と前記リミットリブの外端面とは締まり嵌めであることを特徴とする項目１１に記載の上蓋組立体。
【０１７９】
１３．前記蒸気弁装着面は、左右が開き且つ後端が開いた装着面であり、前記弁蓋の左右の側面は、前記蒸気弁装着面の左右エッジと揃い、前記弁蓋の後端面は、前記蒸気弁装着面の後端エッジと揃うことを特徴とする前記項目の中のいずれかに記載の上蓋組立体。
【０１８０】
１４．前記蒸気弁は、前記蓋体の上面の少なくとも１／２を覆うことを特徴とする前記項目の中のいずれかに記載の上蓋組立体。
【０１８１】
１５．前記蒸気弁は、前記蓋体の全ての上面を覆うことを特徴とする項目１４に記載の上蓋組立体。
【０１８２】
１６．前記蓋体に、コントロールパネルを取り付けるパネル装着位置が設けられ、前記蒸気弁の前後の長さは、前記蓋体の前後の長さの１／２以上であることを特徴とする項目１４に記載の上蓋組立体。
【０１８３】
１７．前記弁蓋は、前記蓋体の上面の少なくとも１／２を覆うことを特徴とする項目１４に記載の上蓋組立体。
【０１８４】
１８．前記弁蓋には、前記弁蓋の上面を覆う飾り蓋体が設けられていることを特徴とする前記項目の中のいずれかに記載の上蓋組立体。
【０１８５】
１９．上蓋組立体であって、
蒸気口を開口して設ける蒸気弁装着位置が設けられる上蓋と、
前記蒸気弁装着位置に取り付けられると共に、前記蒸気口と連通する蒸気通路を有し、前記上蓋の上面の少なくとも１／２を覆う蒸気弁と、を含むことを特徴とする上蓋組立体。
【０１８６】
２０．前記蒸気弁装着位置は、左右が開いた装着面を有し、前記蒸気弁の左右側面は、前記装着面の左右エッジと揃うことを特徴とする項目１９に記載の上蓋組立体。
【０１８７】
２１．前記蒸気弁装着位置は、後端が開いた装着面を有し、前記蒸気弁の後端面は、前記装着面の後端エッジと揃うことを特徴とする項目１９に記載の上蓋組立体。
【０１８８】
２２．前記蒸気弁は、前記上蓋の全ての上面を覆うことを特徴とする項目１９乃至２１の中のいずれかに記載の上蓋組立体。
【０１８９】
２３．前記上蓋には、コントロールパネルを取り付けるパネル装着位置が設けられ、前記蒸気弁の前後の長さは、前記上蓋の前後の長さの１／２以上であることを特徴とする項目１９乃至２１の中のいずれかに記載の上蓋組立体。
【０１９０】
２４．前記蒸気弁装着位置の前端面は、全体的に平面となり、前記蒸気弁の前端面は、全体的に前記蒸気弁装着位置の前端面と適応する平面となることを特徴とする項目２３に記載の上蓋組立体。
【０１９１】
２５．前記蒸気弁の底部には、下向きに延びる装着凸台を有し、前記装着凸台には前記蒸気通路の蒸気入口が開口して設けられ、前記蒸気口内には、密封シールが設けられ、前記装着凸台が前記密封シールに挿入されると共に、前記密封シールと嵌合固定されることを特徴とする項目１９乃至２１の中のいずれかに記載の上蓋組立体。
【０１９２】
２６．前記蒸気弁は、弁座と、前記弁座に覆設されると共に、前記弁座と連結して前記蒸気通路を形成し、前記上蓋の上面の少なくとも１／２を覆う弁蓋と、を含むことを特徴とする項目１９乃至２１の中のいずれかに記載の上蓋組立体。
【０１９３】
２７．前記弁蓋には、前記弁蓋の上面を覆う飾り蓋体が取り付けられていることを特徴とする項目２６に記載の上蓋組立体。
【０１９４】
２８．前記弁蓋には、その周方向に沿って周回合わせ面が設けられ、前記周回合わせ面が前記蒸気弁装着位置に支持され、前記弁座の底部合わせ面と前記蒸気弁装着位置との間に隙間があることを特徴とする項目２６に記載の上蓋組立体。
【０１９５】
２９．前記弁蓋は、その周方向に沿って、下向きに延びて前記周回合わせ面を形成し、且つ前記周回合わせ面は、前記弁座の底部合わせ面より下向きに突出することを特徴とする項目２８に記載の上蓋組立体。
【０１９６】
３０．前記蒸気弁装着位置には、前記周回合わせ面と対応して設けられると共に、上向きに突出する支持台が設けられ、前記周回合わせ面が前記支持台に支持されることを特徴とする項目２８に記載の上蓋組立体。
【０１９７】
３１．前記弁座の底部合わせ面と前記蒸気弁装着位置との間の隙間は１ｍｍ〜１０ｍｍであることを特徴とする項目２８に記載の上蓋組立体。
【０１９８】
３２．前記蒸気弁装着位置には、前記弁蓋と対応して設けられると共に、上向きに突出する支持台が設けられ、前記弁蓋が前記支持台に支持され、且つ前記支持台の少なくとも一部が、前記弁座の底部合わせ面の少なくとも一部より上向きに突出し、又は、前記支持台の最高点は、前記弁座の底部合わせ面の最低点と揃い、前記弁座の底部合わせ面と、その下方にある前記蒸気弁装着位置との間に隙間があることを特徴とする項目２６に記載の上蓋組立体。
【０１９９】
３３．前記支持台は周回のリング状支持台であり、又は、前記蒸気弁装着位置には、間隔を開けて分布する複数の前記支持台が設けられ、前記弁蓋が複数の前記支持台に支持されることを特徴とする項目３２に記載の上蓋組立体。
【０２００】
３４．前記弁座の底部合わせ面と、その下方にある前記蒸気弁装着位置との間の隙間は１ｍｍ〜１０ｍｍであることを特徴とする項目３２に記載の上蓋組立体。
【０２０１】
３５．前記弁座には、逆流穴が設けられ、前記逆流穴内には、リターン弁が設けられ、前記弁座の底部合わせ面のエッジから前記逆流穴に接近する方向へ、前記弁座の底部合わせ面は、全体的に下向きに傾いていることを特徴とする項目２８乃至３４の中のいずれかに記載の上蓋組立体。
【０２０２】
３６．前記蒸気弁には、第１吸引部材が設けられ、前記上蓋には、前記第１吸引部材と磁気引き込み可能な第２吸引部材が対応して設けられることで、前記蒸気弁は前記第１吸引部材と前記第２吸引部材との間の吸引力によって、前記上蓋に吸引されることを特徴とする項目１９乃至３５の中のいずれかに記載の上蓋組立体。
【０２０３】
３７．前記密封シールの側壁面に内に突出するリミットリブが設けられ、前記装着凸台の側壁面と前記リミットリブの内側の端面とは締まり嵌めであり、又は、前記密封シールの外側壁面に外に突出するリミットリブが設けられ、前記蒸気口の内側壁面と前記リミットリブの外端面とは締まり嵌めであることを特徴とする項目２５に記載の上蓋組立体。
【０２０４】
３８．調理器具であって、前記項目の中のいずれかに記載の上蓋組立体を含むことを特徴とする調理器具。
【０２０５】
３９．前記調理器具は炊飯器であることを特徴とする項目３８に記載の調理器具。
【０２０６】
以上、理解を容易にするために、説明及び具体的な例示を挙げて、本発明を説明したが、本発明の趣旨に基づいて、添付特許請求の精神又は範囲を脱出しない限り、本発明に対する変更及び修正は、当業者にとって明らかである。本明細書に用いられる用語は、具体的な実施方式を説明するのみに用いられ、本発明の範囲を表すことではないように理解すべきである。
【０２０７】
本明細書の説明において、明確且つ具体的な限定がない限り、用語である「複数の」は、二つ又は二つ以上である。限定又は説明がない限り、「連続」、「取付け」などの用語の意味は広く理解されるべきであり、例えば、「連続」は固定連続であっても、取り卸し可能な連続であっても、又は一体的に連続であってもよく、直接的に接続することや、中間媒体を介して間接的に接続することも可能である。当業者にとって、具体的な状況に応じて上記用語の本発明中の具体的な意味を利用することができる。
【０２０８】
本明細書の説明において、「上」、「下」、「前」、「後」、「左」、「右」などの用語で示す方位又は位置関係は図面に示す方位又は位置関係であり、本発明を説明し易い、又は説明を簡単にするだけに用いられ、示している装置またはセットは必ず特定の方向を有し、特定の方位構造と操作を有することを表す又は暗示することではないことを理解されるべきであり、そのため、本発明に対する制限とみなされるべきではない。
【０２０９】
本明細書の説明において、用語である「一つの実施例」、「いくつかの実施例」、「具体的な例示」などの記述は、該実施例又は例示に説明された具体的な特徴、構造、材料が本発明の少なくとも一実施例又は例示に含まれていることを示している。本明細書において、上記用語の説明は、必ず同一の実施例又は例示を示しているではない。また、説明した具体的な特徴、構造、材料は、任意の一つ又は複数の実施例又は例示中において適当の方式で結合できる。
【０２１０】
以上は、本発明の好適な実施例に過ぎず、本発明を限定するものではない。当業者であれば本発明に様々な変更や変形が可能である。本発明の精神や原則内での全ての変更、置換、改良などは本発明の保護範囲内に含まれる。
【０２１１】
ここで、図１ないし図６における符号と部品名との対応関係は以下のとおりである。
【符号の説明】
【０２１２】
１０：蓋体、１０１：蒸気弁装着面、１０２：蒸気口、１１１：支持台、２０：弁蓋、２０１：周回合わせ面、２３２：蒸気排出口、３０：弁座、３０１：底部合わせ面、３０２：装着凸台、３０３：蒸気入口、３０４：逆流穴、４０：密封シール、４０１：リミットリブ、５０：上蓋、５０１：蒸気弁装着位置、６０：蒸気弁、６０１：挿入用リブ、６０２：飾り蓋体、６０３：挿入溝、７０：コントロールパネル。
【図１】
2019509144.tif 000003
【図２】
2019509144.tif 000004
【図３】
2019509144.tif 000005
【図４】
2019509144.tif 000006
【図５】
2019509144.tif 000007
【図６】
2019509144.tif 000008
【国際調査報告】
2019509144.tif 000009
2019509144.tif 000010
2019509144.tif 000011
2019509144.tif 000012
2019509144.tif 000013
2019509144.tif 000014